(57)【特許請求の範囲】
【請求項１】
フェース面に複数本のスコアラインが形成されたゴルフクラブヘッドにおいて、
前記スコアラインが、
一対の側面と、
前記フェース面側に突起した突起部を有する底部と、を有し、
前記側面と前記フェース面とがなす角度が６０度以上であって、
前記スコアラインの断面積Ａ（inch2）と、３０度測定法により測定した前記スコアラインの幅Ｗ（inch）と、隣接する前記スコアラインの距離Ｓ（inch）とが、
Ａ／（Ｗ＋Ｓ）≦０．００３
であり、
前記突起部の頂部が、前記フェース面と平行な平坦面であることを特徴とするゴルフクラブヘッド。
【請求項２】
フェース面に複数本のスコアラインが形成されたゴルフクラブヘッドにおいて、
前記スコアラインが、
一対の側面と、
前記フェース面側に突起した突起部を有する底部と、を有し、
前記側面と前記フェース面とがなす角度が６０度以上であって、
前記スコアラインの断面積Ａ（inch2）と、３０度測定法により測定した前記スコアラインの幅Ｗ（inch）と、隣接する前記スコアラインの距離Ｓ（inch）とが、
Ａ／（Ｗ＋Ｓ）≦０．００２５
であり、
前記突起部の頂部が、前記フェース面と平行な平坦面であることことを特徴とするゴルフクラブヘッド。
【請求項３】
前記突起部が、前記平坦面と直交する一対の側面を有することを特徴とする請求項１又は２に記載のゴルフクラブヘッド。
【請求項４】
前記突起部の前記平坦面と前記一対の側面との角部を面取りして平坦面としたことを特徴とする請求項３に記載のゴルフクラブヘッド。
【請求項５】
前記フェース面から前記スコアラインの最深部までの距離Ｌ１と、前記最深部から前記突起部の頂点までの距離Ｌ２とが、
Ｌ２／Ｌ１≦０．８
であることを特徴とする請求項１又は２に記載のゴルフクラブヘッド。
【請求項６】
前記スコアラインの断面形状が、その中心線に対して対称であり、
前記フェース面と平行で前記スコアラインの最深部を通る仮想線により前記突起部を仮想的に切断した場合の前記スコアラインの断面積をＡ１、前記仮想線により仮想的に切断された前記突起部の断面積をＡ２とした場合に、
Ａ２／Ａ１≦０．３
であることを特徴とする請求項１又は２に記載のゴルフクラブヘッド。
【請求項７】
前記スコアラインの縁を、
前記側面と前記フェース面とに内接する半径０．０１０インチの第１仮想円と同心であって、半径０．０１１インチの第２仮想円の内側に位置するように形成したことを特徴とする請求項１又は２に記載のゴルフクラブヘッド。
【発明の詳細な説明】
【技術分野】
【０００１】
本発明はゴルフクラブヘッドに関し、特に、フェース面のスコアラインに関するものである。
【背景技術】
【０００２】
一般に、ゴルフクラブヘッドのフェース面にはトウ−ヒール方向に互いに平行な複数の直線状の溝が形成されている。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。このため、スコアラインの形状として、種々の形状のものが提案されている。例えば、特許文献１には、アイアンクラブセットの各ヘッドのスコアラインの底部に突起を設けて、各番手毎のバックスピン量を調整したものが開示されている。
【０００３】
【特許文献１】米国特許第６７３３４００号明細書
【発明の開示】
【発明が解決しようとする課題】
【０００４】
スコアラインのうち、特にバックスピン量に影響する要素としては、スコアラインの縁の角度やスコアラインの深さが挙げられる。スコアラインの縁の角度は、より小さい方がバックスピン量が多くなる。また、スコアラインの深さが、より深い方が雨天時やラフからのショットの場合にバックスピン量が多くなる。
【０００５】
しかし、競技用のゴルフクラブヘッドのスコアラインに関するルールでは、スコアラインの断面積Ａ（inch2）と、３０度測定法により測定したスコアラインの幅Ｗ（inch）と、隣接するスコアラインの距離Ｓ（inch）とが、Ａ／（Ｗ＋Ｓ）≦０．００３である必要がある（以下、面積ルールという。）。スコアラインの縁の角度をより小さくしたり、スコアラインの深さをより深くすると、スコアラインの断面積が大きくなるため、面積ルールに適合しない場合がある。逆に、面積ルールに適合するようにスコアラインを形成すると、バックスピン量が十分に得られない場合がある。
【０００６】
本発明の目的は、面積ルールに適合しながら、より高いバックスピン量が得られるゴルフクラブヘッドを提供することにある。
【課題を解決するための手段】
【０００７】
本発明によれば、フェース面に複数本のスコアラインが形成されたゴルフクラブヘッドにおいて、前記スコアラインが、一対の側面と、前記フェース面側に突起した突起部を有する底部と、を有し、前記側面と前記フェース面とがなす角度が６０度以上であって、前記スコアラインの断面積Ａ（inch2）と、３０度測定法により測定した前記スコアラインの幅Ｗ（inch）と、隣接する前記スコアラインの距離Ｓ（inch）とが、Ａ／（Ｗ＋Ｓ）≦０．００３であり、前記突起部の頂部が、前記フェース面と平行な平坦面であることを特徴とするゴルフクラブヘッドが提供される。
【０００８】
また、本発明によれば、フェース面に複数本のスコアラインが形成されたゴルフクラブヘッドにおいて、前記スコアラインが、一対の側面と、前記フェース面側に突起した突起部を有する底部と、を有し、前記側面と前記フェース面とがなす角度が６０度以上であって、前記スコアラインの断面積Ａ（inch2）と、３０度測定法により測定した前記スコアラインの幅Ｗ（inch）と、隣接する前記スコアラインの距離Ｓ（inch）とが、Ａ／（Ｗ＋Ｓ）≦０．００２５であり、前記突起部の頂部が、前記フェース面と平行な平坦面であることことを特徴とするゴルフクラブヘッドが提供される。
【発明の効果】
【０００９】
本発明によれば、面積ルールに適合しながら、より高いバックスピン量が得られるゴルフクラブヘッドを提供することができる。
【発明を実施するための最良の形態】
【００１０】
図１は本発明の一実施形態に係るゴルフクラブヘッド１の外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用できる。
【００１１】
ゴルフクラブヘッド１は、そのフェース面１０に複数のスコアライン２０が形成されている。各々のスコアライン２０はトウ−ヒール方向に延在した、互いに平行な直線状の溝である。
【００１２】
図２は、スコアライン２０の、その長手方向（トウ−ヒール方向）に直交する方向の断面図及び及び断面積Ａ、Ａ１、Ａ２の説明図である。本実施形態において、スコアライン２０の断面形状は、その長手方向の両端部を除き、同じである。また、各々のスコアライン２０の断面形状は同じである。本実施形態の場合、スコアライン２０の断面形状は、その中心線ＣＬに対して左右対称である。
【００１３】
スコアライン２０は、一対の側面２２及び底部２３を有する。スコアライン２０の縁２１は側面２２とフェース面１０との境界部分である。この縁２１には丸みを設けてもよい。底部２３は、底面２３ａと突起部２３ｂとを有する。底面２３ａはフェース面１０と平行である。突起部２３ｂは略方形をなしており、その頂部はフェース面１０と平行な平坦面である。側面２２と底面２３ａとの境界部分には半径Ｒ１の丸みが、底面２３ａと突起部２３ｂとの境界部分には半径Ｒ２の丸みが、それぞれ設けられている。これらの境界部分に丸みを設けない構成を採用することも勿論可能である。
【００１４】
幅Ｗｐは突起部２３ｂの最大幅を意味する。本実施形態のように底面２３ａと突起部２３ｂとの境界部分に丸みを設けた場合は、その丸みの部分は除外した最大幅である。幅Ｗｓは側面２２と突起部２３ｂとの最小幅を意味する。本実施形態のように側面２２と底面２３ａとの境界部分及び底面２３ａと突起部２３ｂとの境界部分に丸みを設けた場合は、これらの丸みの部分は除外した最小幅である。
【００１５】
距離Ｌ１は、フェース面１０からスコアライン２０の最深部までの距離を意味する。距離Ｌ２は、スコアライン２０の最深部から突起部２３ｂの頂点までの距離を意味する。角度θａは、側面２２とフェース面１０とがなす角度であり、本実施形態の場合、これを６０度以上に設定する。角度θａは好ましくは９０度以下である。仮想線ＢＬは、フェース面１０と平行でスコアライン２０の最深部を通る仮想的な線である。
【００１６】
断面積Ａは、スコアライン２０の断面積であり、つまり、空洞部分の断面積である。断面積Ａ１は、仮想線ＢＬにより突起部２３ｂを仮想的に切断した場合のスコアライン２０の断面積である。つまり、突起部２３ｂを設けなかった場合のスコアライン２０の断面積に相当する。断面積Ａ２は仮想線ＢＬにより切断された突起部２３ｂの断面積である。つまり、Ａ２＝Ａ１−Ａである。
【００１７】
なお、スコアライン２０の断面形状を、その中心線ＣＬに対して左右対称としなかった場合は、仮想線ＢＬとして、フェース面１０と平行でスコアライン２０の最深部を通る線ではなく、スコアライン２０の最深部と、最深部の次に深い部分とを通る仮想的な線とする。
【００１８】
次に、図３は３０度測定法によるスコアライン２０の幅Ｗ及びスコアライン２０間の距離Ｓの説明図である。幅Ｗは、競技用ゴルフクラブのルールの、いわゆる３０度測定法により測定した場合の幅を意味する。すなわち、フェース面１０から３０度傾斜した仮想線と、スコアライン２０の縁２１との接点間の距離を意味する。各スコアライン２０間の距離Ｓは、隣接するスコアライン２０において、フェース面１０から３０度傾斜した仮想線と、スコアライン２０の縁２１との接点間の距離を意味する。なお、スコアライン２０のピッチ（Ｐ）は、Ｐ＝Ｗ＋Ｓである。
【００１９】
本実施形態では、上記の通り、角度θａを６０度以上に設定する。これにより、スコアライン２０の縁２１の角度（１８０°−θａ）がより小さくなるので、バックスピン量を高められる。一方、上記の通り、競技用のゴルフクラブヘッドのスコアラインに関するルールとして面積ルールが規定されており、断面積Ａ（inch2）／（Ｗ（inch）＋Ｓ（inch））≦０．００３である必要がある。なお、メートル単位の場合、断面積Ａ（mm2）／（Ｗ（mm）＋Ｓ（mm））≦０．０７６２である。したがって、ゴルフクラブヘッド１は、断面積Ａ（inch2）／（Ｗ（inch）＋Ｓ（inch））≦０．００３を満たすように設計され、また、断面積Ａ（inch2）／（Ｗ（inch）＋Ｓ（inch））≦０．００２５となるように設計すれば、より確実に面積ルールに適合させることができる。
【００２０】
角度θａを６０度以上に設定すると、この面積ルールに適合させることが難しくなる。面積ルールに適合させるために、スコアラインの深さを浅くすると、フェース面上の水滴や芝等がスコアライン内に逃げ込み難くなり、雨天時やラフからのショットの場合にバックスピン量が低下する場合がある。
【００２１】
そこで、本実施形態では、突起部２３ｂを設けている。これにより、スコアライン２０の断面積Ａは突起部２３ｂの断面積の分だけ小さくなる。よって、角度θａを６０度以上にしながら、距離Ｌ１としてより長い距離を確保でき、面積ルールに適合しながらより高いバックスピン量が得られる。距離Ｌ１としては、０．３５ｍｍ以上であることが望ましい。距離Ｌ１が０．３５ｍｍ以上であれば、より高いバックスピン量が期待できるが、０．３５ｍｍ未満であると、突起部２３ｂを設けなくても面積ルールに適合可能な構成とすることも可能であり、突起部２３ｂを設けた意義が薄れる。
【００２２】
なお、距離Ｌ２を長く設定し、突起部２３ｂの頂部の位置がフェース面１０に近接すると、ボールを打撃した時に、ボールの変形によりボールの一部がスコアライン２０内に食い込み、接触する。この場合、ボールのバックスピン量を増加させる作用が生じる場合があるが、ボールに傷が付く場合がある。本実施形態のように、突起部２３ｂの頂部をフェース面１０と平行な平坦面とすると、ボールのバックスピン量を増加させる作用は少ないが、ボールに傷が付くことを防止し得る。
【００２３】
なお、スコアライン２０の形成方法としては、切削加工、鍛造加工、鋳造加工、放電加工等が挙げられる。放電加工の場合、例えば、形彫り放電加工が適用できる。
【００２４】
次に、突起部２３ｂの他の構成例について図４乃至図６を参照して説明する。図４乃至図６はそれぞれ、２つの例を示している。なお、特に言及しない限り、図４乃至図６においては、図２に使用した符号と同じ符号を使用しており、各符号で示される各構成の意味は、図２に使用した各符号で示される各構成の意味と同じである。
【００２５】
図４の上側のスコアライン２０ａは、図２に示したスコアライン２０において、突起部２３ｂの頂部の左右の角部を面取りして平坦面としたものである。この構成の場合、ボールの打撃時に、突起部２３ｂの頂部がボールに傷を付けることを更に防止し得る。図４の下側のスコアライン２０ｂは、突起部２３ｂの頂部の断面形状を半円形としたものである。この構成の場合、ボールの打撃時に、突起部２３ｂの頂部がボールに傷を付けることを更に防止し得る。図５の上側のスコアライン２０ｃは、図２に示したスコアライン２０において、突起部２３ｂの頂部の断面形状を三角形としたものである。この構成の場合、ボールの打撃時に、突起部２３ｂの頂部がボールに接触した場合、ボールのバックスピン量を増加させ得る。
【００２６】
図５の下側のスコアライン２０ｄは、底部２３を突起部２３ｂのみから構成した例を示す。つまり、スコアライン２０ｄは図２に示したスコアライン２０における底面２３ａを有しておらず、突起部２３ｂと側面２２とが連続した例である。また、図５のスコアライン２０ｄは、突起部２３ｂの断面形状を台形としたものである。図６の上側のスコアライン２０ｅも、底部２３を突起部２３ｂのみから構成した例を示す。また、図６のスコアライン２０ｅは、突起部２３ｂの断面形状を半円形としたものである。
【００２７】
図６の下側のスコアライン２０ｆは、縁２１を加工して平坦面２１ａを形成したものである。競技用のゴルフクラブヘッドのスコアラインに関するルールでは、面積ルール以外に、スコアラインの側面とフェース面とに内接する半径０．０１０インチの仮想円と同心であって、半径０．０１１インチの仮想円の内側に、スコアラインの縁が位置しなければならない（以下、２円ルールという。）。
【００２８】
しかし、２円ルールを満たすためには、スコアラインの側面とフェース面とがなす角度を小さくせざるを得ない。この場合、スコアラインの縁の角度がより大きくなり、スピン量が低下するだけでなく、スコアラインの容積も小さくなるため、ラフからのショットや雨天時のショットの場合にスピン量が著しく低下する畏れがある。
【００２９】
図６の下側の図において仮想円Ｃ１は、側面２１とフェース面１０とに内接する半径０．０１インチの円であり、仮想円Ｃ２は、仮想円Ｃ１と同心であって、半径０．０１１インチの円である。上述した２円ルールに適合するためには、仮想円Ｃ２の内側にスコアライン２０の縁が位置している必要がある。
【００３０】
スコアライン２０ｆでは縁２１に平坦面２１ａを設けることで、面積ルールに加えて２円ルールを満たすようにしている。なお、縁２１の形状としては、平坦面２１ａ以外に、丸み、切り欠きでもよい。
【実施例】
【００３１】
スコアラインの仕様が異なるゴルフクラブヘッド＃１〜＃２及び＃１１〜＃１９を作成した。図７は、各ゴルフクラブヘッド＃１〜＃２及び＃１１〜＃１９のスコアラインの仕様を、図８は、各ゴルフクラブヘッド＃１〜＃２及び＃１１〜＃１９のルール適合およびこれらを用いたゴルフクラブでの試打結果としてボールのバックスピン量及び傷付きの程度を示す図である。
【００３２】
＃１及び＃２のゴルフクラブヘッドのスコアラインの断面形状は、図９に示す形状であり、上述した突起部２３ｂを有しないものである。ゴルフクラブヘッド＃１１〜＃１９は上述した突起部２３ｂを有するものである。なお、いずれのゴルフクラブヘッド＃１〜＃２及び＃１１〜＃１９においても、そのスコアラインの断面形状は中心線に対して左右対称である。
【００３３】
図７において、"Ｗ"はスコアラインの幅を意味し、上述した３０度測定法による幅Ｗである。"θａ"は、上記の角度θａである。"Ｌ１"は、上記の距離Ｌ１であり、フェース面からスコアラインの最深部までの距離である。"Ｐ"はスコアラインのピッチを意味し、上記の距離Ｓと幅Ｗを加えた長さ、つまり、Ｐ＝Ｓ＋Ｗである。
【００３４】
"Ｗｐ"、"Ｗｓ"、は、突起部２３ｂの上述した幅Ｗｐ、幅Ｗｓである。"Ｒ"は、上述したＲ１、Ｒ２に相当し、本例ではＲ１＝Ｒ２＝Ｒである。"Ｌ２"は、上記の距離Ｌ２であり、仮想線ＢＬから突起部２３ｂの頂点までの距離である。"形状"は、突起部２３ｂの断面形状の種類を意味し、Ｉは図２のスコアライン２０の断面形状、ＩＩは図４の上側のスコアライン２０ａの断面形状、ＩＩＩは図４の下側のスコアライン２０ｂの断面形状、ＩＶは図５の上側のスコアライン２０ｃの断面形状、Ｖは図５の下側のスコアライン２０ｄの断面形状、ＶＩは図６の上側のスコアライン２０ｅの断面形状にそれぞれ相当する。"Ａ２"は、図２に示した断面積Ａ２であり、仮想線ＢＬにより切断された突起部２３ｂの断面積である。
【００３５】
"縁加工"は、図６の下側に示したスコアライン２０ｆのように縁２１に平坦面２１ａを２円ルールに適合するように設けたか否かを示す。本例の場合、＃１６及び＃１７のゴルフクラブヘッドのスコアラインの縁にこのような加工を施している。
【００３６】
"Ａ"は、図２に示した断面積Ａであり、スコアラインの断面積である。"Ｌ２／Ｌ１"は距離Ｌ２を距離Ｌ１で割った値、"Ａ２／Ａ１"は断面積Ａ２を断面積Ａ１で割った値である。断面積Ａ１は図２に示した断面積であり、Ａ１＝Ａ＋Ａ２である。
【００３７】
図８において、"ルール適合"は、競技用ゴルフクラブヘッドのルール適合性を意味し、面積ルール及び２円ルールへの適合性を示す。○が適合を示し、×が非適合を示す。"スピン量"は、各ゴルフクラブヘッド＃１〜＃２及び＃１１〜＃１９を装着したゴルフクラブで試打を行い、ボールのバックスピン量を実測して４段階で評価したものである。"ａ"は最もスピン量が多く、"ｄ"が最もスピン量が少ない。。"傷"は、各ゴルフクラブヘッド＃１〜＃２及び＃１１〜＃１９を装着したゴルフクラブで試打を行った後、そのボールの傷つき具合を目視にて観察して４段階で評価したものである。"ａ"は最も傷が少なく、"ｄ"が最も傷が多い。
【００３８】
さて、ゴルフクラブヘッド＃１及び＃２は、そのスコアラインが突起部２３ｂを有さないものである。ゴルフクラブヘッド＃１では、角度θａが７０度であり、スピン量に優れるが、面積ルールに適合しない。ゴルフクラブヘッド＃２では、角度θａが５０度であり、面積ルールに適合するが、スピン量に劣る。スピン量の観点からは、角度θａは６０度以上であることが望ましいと言える。
【００３９】
ゴルフクラブヘッド＃１１乃至＃１９は角度θａが７０度でありながら、面積ルールに適合している。これは突起部２３ｂを設けたことによる。加えて、ゴルフクラブヘッド＃１６及び＃１７については２円ルールにも適合している。これは平坦面２１ａを設けたことによる。
【００４０】
次に、Ｌ２／Ｌ１について着目する。Ｌ２／Ｌ１の値が大きいほど、突起部２３ｂの頂部がフェース面に近く、Ｌ２／Ｌ１の値が小さいほど、突起部２３ｂの頂部がフェース面に遠いことを意味する。Ｌ２／Ｌ１＝０．８９であるゴルフクラブヘッド＃１１についてはボールのバックスピン量が劣っている。これは、ボールの打撃時にボールが突起部２３ｂに強く干渉して、ボールがスコアライン内に食い込まず、却ってボールにスピンがかからなくなっているものと考えられる。一方、ゴルフクラブヘッド＃１５ではＬ２／Ｌ１＝０．７８であるが、ボールのバックスピン量は、ある程度得られている。したがって、ボールのバックスピン量の観点から、Ｌ２／Ｌ１≦０．８であることが望ましい。
【００４１】
次に、Ａ２／Ａ１について着目する。Ａ２／Ａ１の値が大きいほど、スコアライン内での突起部２３ｂの占有空間が大きく、Ａ２／Ａ１の値が小さいほど、スコアライン内での突起部２３ｂの占有空間が小さいことを意味する。Ａ２／Ａ１＝０．４０であるゴルフクラブヘッド＃１１についてはボールのバックスピン量が劣っている。これは、ボールの打撃時にボールが突起部２３ｂに強く干渉して、ボールがスコアライン内に食い込まず、却ってボールにスピンがかからなくなっているものと考えられる。一方、ゴルフクラブヘッド＃１５ではＡ２／Ａ１＝０．２８であるが、ボールのバックスピン量は、ある程度得られている。ゴルフクラブヘッド＃１２、＃１４、＃１９ではＡ２／Ａ１＝０．２７であるが、ボールのバックスピン量は、ある程度得られている。したがって、ボールのバックスピン量の観点から、Ａ２／Ａ１≦０．３であることが望ましい。
【図面の簡単な説明】
【００４２】
【図１】本発明の一実施形態に係るゴルフクラブヘッド１の外観図である。
【図２】スコアライン２０の、その長手方向（トウ−ヒール方向）に直交する方向の断面図及び断面積Ａ、Ａ１、Ａ２の説明図である。
【図３】３０度測定法によるスコアライン２０の幅Ｗ及びスコアライン２０間の距離Ｓの説明図である。
【図４】突起部２３ｂの他の構成例（２例）を示す図である。
【図５】突起部２３ｂの他の構成例（２例）を示す図である。
【図６】突起部２３ｂの他の構成例（２例）を示す図である。
【図７】各ゴルフクラブヘッド＃１〜＃２及び＃１１〜＃１９のスコアラインの仕様を示す図である。
【図８】各ゴルフクラブヘッド＃１〜＃２及び＃１１〜＃１９のルール適合およびこれらを用いたゴルフクラブでの試打結果としてボールのバックスピン量及び傷付きの程度を示す図である。
【図９】＃１〜＃２のゴルフクラブヘッドのスコアラインの断面形状を示す図である。
【符号の説明】
【００４３】
１  ゴルフクラブヘッド
１０  フェース面
２０  スコアライン
２３ｂ  突起部
【図１】
0005237014.tif 000002
【図２】
0005237014.tif 000003
【図３】
0005237014.tif 000004
【図４】
0005237014.tif 000005
【図５】
0005237014.tif 000006
【図６】
0005237014.tif 000007
【図７】
0005237014.tif 000008
【図８】
0005237014.tif 000009
【図９】
0005237014.tif 000010